(57)【特許請求の範囲】
【請求項１】
筐体に結合される筐体側スライドレール部材と、前記筐体側スライドレール部材に対して相対的にスライド移動可能に組み付けられるとともに、引出し部材に結合される引出し側スライドレール部材とからなるスライドレールであって、
前記引出し側スライドレール部材が、前記筐体側スライドレール部材にスライド自在に組み付けられる基端部材と、前記基端部材よりスライド方向外側に位置して前記引出し部材と結合されるとともに、外側にスライド移動された状態で前記筐体側スライドレール部材から外方に突出して位置する先端部材と、前記基端部材と前記先端部材とを直線状に並んだ状態でロック保持可能に連結させる連結部材とからなり、
前記連結部材は、
前記基端部材に対して前記先端部材を上下に揺動可能にするとともに、前記基端部材に対して前記先端部材の揺動軸をスライド方向に移動可能にして前記基端部材と前記先端部材とを連結し、
前記基端部材に対して前記揺動軸をスライド方向内側に移動させて位置させたときに、前記基端部材と前記先端部材とを直線状に並んで一体に前記筐体側スライドレール部材に対してスライド移動自在であるとともに、直線状に並んだ位置から前記基端部材に対して前記先端部材の下方への揺動を規制し上方への揺動のみを許容して前記基端部材と前記先端部材とをロック保持する状態と、
前記基端部材に対して前記先端部材を上方に揺動させた後、前記基端部材に対して前記揺動軸をスライド方向外側に移動させて位置させたときに、前記基端部材に対して前記先端部材の上下方向の揺動を許容して前記基端部材と前記先端部材とのロック保持を解除する状態とを有するように構成され、
前記連結部材が前記基端部材と前記先端部材とをロック保持した状態で前記引出し部材を前記筐体から外側にスライド移動させた後、前記引出し部材を上方に揺動させることにより前記先端部材を上方に揺動させるとともにスライド方向外側に前記揺動軸を移動させて前記連結部材のロック保持を解除した状態とし、前記引出し部材を下方に揺動させて前記基端部材に対して前記先端部材が略垂直方向下方に延びて前記引出し部材の後面が上方に向くように構成したことを特徴するスライドレール。
【請求項２】
前記連結部材が、
前記基端部材および前記先端部材の一方にスライド方向に延びて形成された長穴と、
前記基端部材および前記先端部材の他方に形成され、前記長穴に遊嵌して前記基端部材に対して前記先端部材をスライド方向の移動および上下方向の揺動を可能に連結させる連結突起と、
前記基端部材および前記先端部材の一方に形成されたストッパ突起と、
前記基端部材および前記先端部材の他方に形成され、前記基端部材と前記先端部材とを直線状に並んだ状態で前記ストッパ突起を受容して前記先端部材の前記基端部材に対する前方への移動および下方への揺動を阻止し、前記先端部材を上方に揺動させてからスライド方向外側に移動させて前記ストッパ突起の受容を開放して前記先端部材の前記基端部材に対する上下方向の揺動を許容するストッパ突起受容溝とからなることを特徴とする請求項１に記載のスライドレール。
【発明の詳細な説明】
【０００１】
【発明の属する技術分野】
本発明は、主にキャビネット（筐体）からラック等の引出し部材を引き出すために用いられるスライドレールに関し、さらには、引き出した状態でラックの後面が上方に向くように揺動させることができるスライドレールに関する。
【０００２】
【従来の技術】
複数のプリント回路基板等を有する電子機器をキャビネットに収容する場合、製作および保守点検を容易に行うことができるように、プリント回路基板をラックに収容するとともに、ラックとキャビネット本体との間に設けたスライドレールによってラックをキャビネット本体に対して引出し・格納自在な構成とすることが多い。
【０００３】
近時においては、電子機器の構成が複雑化しているにも拘らず、キャビネットを小型化する要求が多いため、ラック内に多数のプリント回路基板を設けるとともに、ラックの前後方向（引き出し方向）いっぱいの寸法でプリント回路基板を設けている。
【０００４】
このため、ラックの後面側からの保守・点検を容易に行うことができるように、キャビネット本体からラックを引き出した後に、キャビネットを下方に９０°回転させる（後面を上方に向かせる）ことができるように、屈折自在に構成されたスライドレールが従来から知られている。このように構成されたスライドレールは、ラックの左右側面に取り付けられ、スライドレールの前端部に設けられたレバーを操作することにより、スライドレールを直線状に伸ばした状態での保持および屈折が可能に構成されている。
【０００５】
【発明が解決しようとする課題】
しかしながら、上記のように構成されたスライドレールにおいては、ラックをキャビネットから引き出す際には両手を使うことができても、レバーを操作するためには片手でラックを支持し、片手でレバーの操作を行わなければならない。このため、作業者が一人でラックの回転作動を行わせることが困難であるという問題があり、特にラックが重い場合には作業者の労力の増大に繋がるという問題があった。
【０００６】
本発明はこのような問題に鑑みてなされたものであり、キャビネットから水平に引き出したラックを、簡単な操作で上下方向に回転させることができるスライドレールを提供することを目的としている。
【０００７】
【課題を解決するための手段】
上記の目的を達成するため、本発明に係るスライドレールは、筐体に結合される筐体側スライドレール部材と、この筐体側スライドレール部材に対して相対的にスライド移動可能に組み付けられるとともに、引出し部材に結合される引出し側スライドレール部材とから構成されている。引出し側スライドレール部材は、筐体側スライドレール部材にスライド自在に組み付けられる基端部材と、この基端部材よりスライド方向外側に位置して引出し部材と結合されるとともに、外側にスライド移動された状態で筐体側スライドレール部材から外方に突出して位置する先端部材とからなる。そして、基端部材と先端部材とは連結部材によって直線状に並んだ状態でロック保持可能に連結される。
【０００８】
連結部材は、基端部材に対して先端部材を上下に揺動可能にするとともに、基端部材に対して先端部材の揺動軸をスライド方向に移動可能にして基端部材と先端部材とを連結している。そして、この連結部材は、基端部材に対して揺動軸をスライド方向内側に移動させて位置させたときに、基端部材と先端部材とを直線状に並んで一体に筐体側スライドレール部材に対してスライド移動自在であるとともに、直線状に並んだ位置から基端部材に対して先端部材の下方への揺動を規制し上方への揺動のみを許容して基端部材と先端部材とをロック保持する状態と、基端部材に対して先端部材を上方に揺動させた後、基端部材に対して揺動軸をスライド方向外側に移動させて位置させたときに、基端部材に対して先端部材の下方への揺動の上下方向の揺動を許容して基端部材と先端部材のロック保持を解除する状態とを有している。連結部材が基端部材と先端部材とをロック保持した状態で引出し部材を筐体から外側にスライド移動させた後、引出し部材を上方に揺動させることにより先端部材を上方に揺動させるとともにスライド方向外側に揺動軸を移動させて連結部材のロック保持を解除した状態とし、引出し部材を下方に揺動させて基端部材に対して先端部材が略垂直方向下方に延びて引出し部材の後面が上方を向く。
【０００９】
このように構成されたスライドレールによれば、連結部材によって基端部材と先端部材とが直線状に並んで上方への揺動のみが許容される状態で保持されるため、引出し部材を手前に引っ張れば筐体側スライドレール部材に対して引出し側スライドレール部材をスライド移動させることができ、引出し部材を筐体から水平に引き出しすことができる。
【００１０】
そして、先端部材が筐体側スライドレール部材の外方に位置するまで引出し側スライドレール部材をスライド移動させた状態で、許容されている先端部材の上方への揺動を行うと、揺動軸を移動させて先端部材をスライド方向外側への移動を行わせることもできるようになるため、先端部材を上方に揺動させるとともにスライド方向外側に移動させればロック保持が解除されて先端部材の基端部材に対する上下方向の揺動も許容される。したがって、先端部材に結合された引出し部材を支えている手を離せば、引出し部材の自重によって先端部材が下方に回動し、引出し部材の後面を上方に向けることができる。
【００１１】
なお、上記の連結部材は、基端部材および先端部材の一方にスライド方向に延びて形成された長穴を有するとともに、基端部材および先端部材の他方にはこの長穴に遊嵌して基端部材に対して先端部材をスライド方向の移動および上下方向の揺動を可能に連結させる連結突起を有した構成とすることが好ましい。
【００１２】
さらに、基端部材および先端部材の一方にストッパ突起を形成し、基端部材および先端部材の他方にストッパ突起受容溝を形成した構成とすることが好ましく、ストッパ突起受容溝は、基端部材と先端部材とを直線状に並んだ状態でストッパ突起と当接して先端部材の基端部材に対するスライド方向への移動および下方への揺動を阻止し、先端部材を上方に揺動させてからスライド方向外側に移動させてストッパ突起の受容保持を開放して先端部材の基端部材に対する上下方向の揺動を許容させる。
【００１３】
このような構成とすることにより、基端部材と先端部材とを直線状に並べた状態においては、ストッパ突起がストッパ突起受容溝に受容されるため、先端部材は基端部材に対して直線状に並んだまま保持される。また、このように直線状に並んで保持された状態においては、先端部材の前方への移動が阻止されており、先端部材を引き出せば基端部材も一体となって筐体側スライドレールから引き出されるため、筐体から引出し部材を水平に引き出すことができる。
【００１４】
上記のように先端部材と基端部材とが直線状に保持された状態においても、基端部材に対する先端部材の上方への揺動は可能であり、揺動させた状態においては、先端部材は基端部材に対して長穴の長さ分だけスライド移動自在となる。このため、引出し部材を上方に持ち上げてストッパ突起をストッパ突起受容溝から外し、この状態のまま引出し部材を手前に引き出せば、引出し部材を水平状態に戻してもストッパ突起がストッパ受容溝に再び受容されることがないため、引出し部材の下方への揺動を行うことができる。
【００１５】
【発明の実施の形態】
以下、本発明の好ましい実施の形態について図面を参照しながら説明する。まず、本発明に係るスライドレール１０が設けられたキャビネット２０について、図１を参照しながら説明する。キャビネット２０は、キャビネット本体（筐体）２１と、このキャビネット本体２１に対して前後方向に引出し・収納自在に構成された複数のラック２２〜２５とからなる。
【００１６】
各ラック２２〜２５は、両側面に取り付けられたスライドレール１０，１０′を介してキャビネット２０に取り付けられている。なお、図１においては、説明の便宜上、上から２段目のラック２３を取り付けるスライドレール１０，１０′のみを表しており、スライドレール１０′はスライドレール１０の左右勝手違いに構成されたものである。ここで、図２から図４を加えて、ラック２２〜２５の左側面に取り付けられるスライドレール１０について説明する。
【００１７】
スライドレール１０は、引出し側レール部材（引出し側スライドレール部材）１１と、第一筐体側レール部材１２と、第二筐体側レール部材１３とから構成されている。引出し側レール部材１１は、ラック２３の左側面２３ａに取り付けられ、第一筐体側レール部材１２に対してテレスコピックに（入れ子式に）伸縮自在に構成されている。第一筐体側レール部材１２は、キャビネット本体２１に取り付けられる第二筐体側レール部材１３に対してテレスコピックに伸縮自在に構成されている。これにより、引出し側レール部材１１は、第二筐体側レール部材１３に対して伸縮自在に構成されることとなる。なお、このスライドレール１０においては、第一筐体側レール部材１２および第二筐体側レール部材１３が、請求の範囲に記載の筐体側スライドレール部材を構成している。
【００１８】
引出し側レール部材１１は、ラック２３が結合される先端部材１１ａと、第一筐体側レール部材１２に対して伸長させた状態で第一筐体側レール部材１２に支持される基端部材１１ｂとから構成されている。先端部材１１ａと基端部材１１ｂとは、連結部材１４によって繋がれており、この連結部材１４は、先端部材１１ａに取り付けられる先端側連結部材１４ａと、基端部材１１ｂに取り付けられる基端側連結部材１４ｂとからなる。
【００１９】
引出し側レール部材１１は、断面形状が略コの字形に形成されており、連結部材１４は、この引出し側レール部材１１の内空間内に配設されている。先端側連結部材１４ａは、矩形板状に形成された先端側連結部材本体１４ｃと、この先端側連結部材本体１４ｃの外側に向かって突出して配設された連結突起１４ｄとストッパ突起１４ｅとから構成されている。先端側連結部材本体１４ｃは、先端部１１ａから後方に突出するように伸びて取り付けられ、連結突起１４ｄは、この先端部側連結部材本体１４ｃの後方に配設されている。また、ストッパ突起１４ｅは、連結突起１４ｄよりも前方に配設されている。
【００２０】
基端側連結部材１４ｂは、先端側連結部本体１４ｃと同様に板状に形成されており、前記連結突起１４ｄが遊嵌可能な長穴１４ｆが形成されている。また、基端側連結部材１４ｂの先端部には、ストッパ突起１４ｅが受容可能な受容部１４ｇが形成されている。受容部１４ｇは、Ｊ字状に形成されており、ストッパ突起１４ｅの前方下側を支持することができるようになっている。
【００２１】
このように構成された先端側連結部材１４ａと基端側連結部材１４ｂとは、連結突起１４ｄを長穴１４ｆ内に挿入した状態で連結される。この連結は、先端側連結部材１４ａが移動可能な状態で、基端部１１ｂと基端側連結部材１４ｂとで先端側連結部材１４ａ挟持するようにしてなされる。
【００２２】
長穴１４ｆは、基端側連結部材１４ｂにおいて前後方向に伸びて形成されており、後端部１４ｈが若干上方に上がるように形成されるとともに、前端部１４ｉが若干下方に下がるように形成されている。そして、受容部１４ｇにストッパ突起１４ｅが受容された状態においては、連結突起１４ｄが後端部１４ｈに位置するようになっている。
【００２３】
このような状態においては、連結突起１４ｄは後端部１４ｈにおいて若干の引っ掛かりを有するとともに、ストッパ突起１４ｅは受容部１４ｇにおいて上方に伸びる受容溝１４ｊに受容されて引っかかっているため、先端部１１ａ（ラック２３）を前方に引き出せば、基端部１１ｂも筐体側レール部材１２に対して引き出される。なお、連結突起１４ｄが後端部１４ｈで引っ掛かるとともにストッパ突起１４ｅが受容溝１４ｊに受容されている状態においては、先端部１１ａと基端部１１ｂとは直線状に並んでロック保持される。
【００２４】
このように構成されたキャビネット２０においては、図２に示すように、ラック２３を前方に引くと、連結部材１４によって一体に繋がった引出し側レール部材１１が、筐体側レール部材１２に対して伸長するとともに、第一筐体側レール部材１２が第二筐体側レール部材１３に対して伸長する。ここで、各レール部材１１〜１３の伸長量は、各レール部材を全伸させた状態におけるキャビネット本体２１の前面２１ａからラック２３の裏面２３ｂまでの距離Ｌ１が、連結突起１４ｄの中心からラック２３の下面２３ｃまでの距離Ｌ２よりも長くなるように設定され、且つ、連結部材１４が第一筐体側レール部材１２から完全に露出するように設定される。
【００２５】
これにより、ラック２３を水平に引くことにより、上面２３ｄおよび下面２３ｃをキャビネット本体２１から完全に露出させることができるため、ラック２３内に配設されたプリント回路基板（図示せず）の上面側および下面側からの保守点検を容易に行うことができる。
【００２６】
次に、ラック２３の後面側からの保守点検を行うために、ラック２３を９０°回転させて後面２３ｂを上方に向ける場合の操作について説明する。ラック２３を回転させる場合には、図２に示すようにラック２３を完全に引き出した状態から、図３に示すように、ラック２３を上方に持ち上げながら若干手前に引っ張り、受容部１４ｇをストッパ突起１４ｅが乗り越えるようにする。
【００２７】
このようにストッパ突起１４ｅが受容部１４ｇを乗り越えた状態においては、先端側連結部材１４ａは基端側連結部材１４ｂに対して、長穴１４ｆ内に位置する連結突起１４ｄのみによって枢支されることとなる。従って、先端部１１ａが基端部１１ｂに対して上下方向に揺動自在に構成されることとなり、キャビネット本体２１に対してラック２３が上下方向に揺動自在に保持される。
【００２８】
これにより、ラック２３を支持している手の力を緩めれば、図４に示すように、ラック２３は後面２３ｂを上に向けた状態となるまで９０°回動する。このように後面２３ｂを上に向けることにより、後面２３ｂの外方が開放された状態となるため、後面２３ｂに設けられたパネルをラック２３から取り外せば、ラック２３内に配設されたプリント回路基板等の保守点検を容易に行うことができる。
【００２９】
なお、本発明のスライドレールにおいては、連結部材１１４を図５に示すような構成としてもよい。この連結部材１１４は、前記の連結部材１４と同様に先端側連結部材１１４ａと基端側連結部材１１４ｂとから構成されている。ここで、先端側連結部材１１４ａは、前記の先端側連結部材１４ａと同様に二本の突起１１４ｄ，１１４ｅを有して同様に形成されているため、ここでの詳細な説明は省略する。
【００３０】
図５（Ａ）に示すように、基端側連結部材１１４ｂも長穴１１４ｆを有するとともに受容部１１４ｇを有して構成されているが、受容部１１４ｇにおいては、前記の受容部１４ｇよりも先端部１１４ｋが後方に戻るような形状で形成されている。従って、先端側連結部材１１４ａを上方に揺動させるためには、（Ｂ）に示すように、先端側連結部材１１４ａを後方に移動させた後に上方に揺動させる。その後（Ｃ）に示すように、連結突起１１４ｄを長穴の前端部まで移動させれば、受容部１１４ｇをかわして先端側連結部材１１４ａを下方に揺動させることができる。
【００３１】
このように構成された連結部材１４によれば、先端側連結部材１１４ａと基端側連結部材１１４ｂとを直線状に伸ばした状態での保持をより確実に行うことができる。なお、この連結部材１４を用いた場合には、引出し部材を下方に揺動させる場合に一度後方に押す必要があるため、このとき引出し側レール部材および筐体側レール部材が縮小しないように、各レール部材の縮小方向の作動時に若干の抵抗を付与させるようにしている。
【００３２】
さらに、図６（Ａ），（Ｂ），（Ｃ）に示すように、基端側連結部材２１４ｂの前方に長穴２１４ｆを形成するとともにその後方にはストッパ突起２１４ｅを設けた構成とし、先端側連結部材２１４ａの後端部に受容部２１４ｇを設けるとともにこの受容部２１４ｇの前方に連結突起２１４ｄを設けて、連結部材２１４を構成してもよい。このような構成としても、前記各連結部材１４，１１４と同様に先端側連結部材２１４ａに取り付けられた引出し部材を上方に持ち上げた後に手前に引き出せば、引出し部材の上下方向の揺動が自在となる。
【００３３】
【発明の効果】
以上のように、本発明に係るスライドレールにおいては、筐体側に結合される基端部材と、引出し部材側に連結される先端部材とは、連結部材によって直線状にロック保持されるため、引出し部材を水平に引くことにより筐体から引出し部材を引出すことができる。そして、引出し部材を引出した状態から、そのまま手を離したり持ち変えたりすることなく、引出し部材を上方に持ち上げながら手前に引けば、連結部材によるロック保持が解除されて基端部材に対して先端部材が上下方向に回動自在に枢支されることとなる。このため、引出し部材を支持している手を離せば引出し部材の後面が上方に向くように回動させることができる。
【００３４】
ここで、連結部材は、基端部材か先端部材の一方に長穴を形成し、他方にはこの長穴に遊嵌する連結突起を設けるとともに、基端部材か先端部材の一方にストッパ突起を形成し、他方にはこのストッパ突起を受容するストッパ突起受容溝を形成することが好ましい。そして、このストッパ突起とストッパ突起受容溝とによって、基端部材と先端部材とを直線状に並んだ状態で先端部材の基端部材に対するスライド方向外側への移動および下方への揺動を阻止し、先端部材を上方に揺動させてからスライド方向外側に移動させてストッパ突起の受容を開放して上下方向の揺動を許容するようにすれば、簡単な構成で、各スライドレール部材から突出することがない連結部材を得ることができる。
【図面の簡単な説明】
【図１】本発明に係るスライドレールを設けたキャビネットの斜視図である。
【図２】上記スライドレールを直線状に伸ばした状態の斜視図である。
【図３】上記スライドレールを上方に揺動させた状態の斜視図である。
【図４】上記スライドレールを下方に揺動させた状態の斜視図である。
【図５】本発明のスライドレールの異なる構成を示す斜視図である。
【図６】本発明のスライドレールの異なる構成を示す斜視図である。
【符号の説明】
１０，１０′  スライドレール
１１  引出し側レール部材
１２  筐体側レール部材
１４，１１４，２１４  連結部材
２０  キャビネット
２２，２３，２４，２５  ラック
【図１】
0003549984.tif 000002
【図２】
0003549984.tif 000003
【図３】
0003549984.tif 000004
【図４】
0003549984.tif 000005
【図５】
0003549984.tif 000006
【図６】
0003549984.tif 000007